(57)【要約】【課題】  汚水のこびり付きによる臭気発生を確実に防止できる便器装置を提供する。【解決手段】  洋風便器の１後部上面に設置され、前部にノズル突出用の開口２２ｈを有した局部洗浄装置２と、局部洗浄装置２に支持された便座とを有する便器装置において、局部洗浄装置２の前側底部に便器上面との隙間を形成するための段部２２ｄを設けると共に、局部洗浄装置２の前側端面には汚水侵入防止兼支持部２２ｅを設け、更に局部洗浄装置２の側面に形成される開口２２ｆを覆うカバー２３を設け、カバー２３に隙間清掃用の清掃具２５を一体化した。【選択図】  図４
2008002107.tif 000002
【特許請求の範囲】
【請求項１】
洋風便器の後部上面に設置され、前部にノズル突出用の開口を有したケーシングと、該ケーシングに支持された便座とを有する便器装置において、前記ケーシングの前側底部に便器上面との隙間を形成するための段部を設けると共に、ケーシングの前側端面には汚水侵入防止兼支持部を設け、更にケーシング側面に形成されて前記隙間に連通する開口を覆うカバーを設けたことを特徴とする便器装置。
【請求項２】
請求項１記載の便器装置において、前記カバーに前記隙間を清掃する清掃具を設けたことを特徴とする便器装置。
【発明の詳細な説明】
【技術分野】
【０００１】
本発明は、便器装置に係り、特に汚水のこびり付きによる臭気発生を防止するよう改良された便器装置に関する。
【背景技術】
【０００２】
洋風便器の後部にケーシングを設置し、ケーシング内に設けられた洗浄ノズルから噴出した湯によって人体局部を温水で洗浄すると共に、ケーシング内に設けた脱臭装置により臭気を脱臭処理するよう構成された局部洗浄装置付きの便器装置がある。
【０００３】
ところが、このケーシングと洋風便器上面との間の隙間に尿などの汚水が入り込んでこびり付き、臭気発生の原因となることがある。この臭気は脱臭装置でも処理しづらく、清掃により臭気源を取り除くことが必要となる。ところが、この部分の清掃はとてもしづらかった。そこで、ケーシングの前縁側底部のプレートを着脱可能とした便器装置が特開平１０−１９５９５８号公報に記載されている。
【特許文献１】特開平１０−１９５９５８号公報
【発明の開示】
【発明が解決しようとする課題】
【０００４】
特許文献１においては、着脱可能なプレートがケーシングと洋風便器の上面との間に設けられているので、プレートとケーシングとの隙間及びプレートと洋風便器との隙間がケーシングの前面に露出してしまい、その隙間に尿などの汚水が入り込みやすいという問題があった。
【０００５】
本発明は、上記従来の問題点を解決し、便器とケーシングとの隙間への汚水の浸入防止性が向上し、その隙間の清掃性が向上する便器装置を提供することを目的とする。
【課題を解決するための手段】
【０００６】
上記目的を達成するために、本出願は、洋風便器の後部上面に設置され、前部にノズル突出用の開口を有したケーシングと、該ケーシングに支持された便座とを有する便器装置において、該ケーシングの前側底部に便器上面との隙間を形成するための段部を設けると共に、ケーシングの前側端面には汚水侵入防止兼支持部を設け、更にケーシング側面に形成されて前記隙間に連通する開口を覆うカバーを設けたことを特徴とする。
【０００７】
また、前記カバーに前記隙間を清掃する清掃具を設けるようにしてもよい。
【発明の効果】
【０００８】
本発明によれば、便器と局部洗浄装置との隙間への汚水の浸入防止性が向上し、その隙間の清掃性が向上した便器装置を提供することができる。
【発明を実施するための最良の形態】
【０００９】
以下に本発明の実施の形態につき図を用いて詳細に説明する。図１は本発明の便器装置の外観斜視図、図２は便器の外観斜視図、図３は便器上面に設置される便器装置の分解斜視図、図４は局部洗浄装置を底面側からみた斜視図である。
【００１０】
図１〜図３に示すように、本発明の便器装置は、便器１、便器１に載置固定される局部洗浄装置２、壁面に設けられる止水栓３、便器洗浄装置４、止水栓３からの給水を局部洗浄装置２及び便器洗浄装置４へ分岐するための分岐栓５、局部洗浄装置２に回動可能に支持される便座８とで構成される。便器洗浄装置４は、定流量弁と、自閉弁と、切替弁と、切替弁から分岐した２個のバキュームブレーカとを備えている。２個のバキュームブレーカの一方は、リム用連結管を介して便器１のリム通水路に、他方はジェット用連結管を介して便器１のジェットノズルに、それぞれ接続されている。そして、図示せぬ電子制御回路から送信される洗浄開始および洗浄水の吐水先の切替信号を受けて自閉弁および切替弁を駆動制御して、便器１に洗浄水を供給する。（なお、便器洗浄装置４の機構詳細については特開２００１−２９５３５２号に詳述したとおりである。）便器洗浄装置４は陶器製の便器１の後方に凹ませて設けた載置部１ａに金属製若しくは樹脂製の載置プレート等を介してボルトで載置固定する。また、便器洗浄装置４は電動モータ４ａによって電気的に駆動される。従って停電時等で給電が行なえない場合を考慮して手動操作部４ｂが設けられる。この手動操作部４ｂは便器１上面より下方に設けている。なお、便器洗浄装置４の一部は便器１上面よりも上方に突出させ、前述したバキュームブレーカーを設けている。また電動モータ４ａへの給電及び制御を行なうための配線４ｃの先端に設けられるコネクタ４ｄを便器１に仮固定するための保持部１ｇを載置プレートに一体的に形成する。
【００１１】
便器１の背面コーナー部には収納凹部１ｂが設けられており、この収納凹部１ｂに分岐栓５が設置される。なお、便器洗浄装置４の入水口には屈曲自在な連結管６の一端がワンタッチジョイント６ａにより接続され、連結管６の他端は載置部１ａに設けた連結管用貫通孔を貫通して垂下しており、その連結管６の他端には分岐栓５を袋ナットで宙吊り状に接続固定する。これにより、便器１には便器洗浄機能部品としての便器洗浄装置４及び分岐栓５が一体化される。
【００１２】
図３に示すように、建物躯体に用意された止水栓３に袋ナットで一体化された屈曲自在な供給管７の終端に設けたフランジと宙吊りの分岐栓５の入水口に設けたフランジとを弾性変形可能なワンタッチジョイント等を用いて接続する。
【００１３】
局部洗浄装置２は外郭を形成する上ケーシング２１、下ケーシング２２、下ケーシング２２に固定される機能部品（調圧弁、逆止弁、電磁弁を一体化したバルブユニット、温水化するための熱交換ユニット、流量を調整する流量調整ユニット、局部へ温水を放出するための洗浄ノズルユニット、局部を乾燥するための乾燥ユニット、便器内の悪臭を吸込み無臭化するための脱臭ユニット、使用者を検知するための検知ユニット、各ユニットを制御するコントローラ等）から構成される。なお、機能部品には便器洗浄装置４を制御するための便器洗浄用コントローラが設けられる。下ケーシング２２の後方中央には、便器洗浄装置４の一部の便器１上面よりも上方に突出する部分を嵌装するために開口２２ａを設けている。また、開口２２ａの脇には給水管９を貫通するための給水管用開口２２ｂを設けている。給水管用開口２２ｂは給水管９より若干広めの幅で前後方向に長い形状として給水管９の自由度を左右方向に狭め、施工の際便器１と下面カバーとの間に給水管９が挟み込まれない様にしている。
【００１４】
下ケーシング２２の後部裏面側に設けられたねじ頭係止手段２２ｃに頭付きボルト２４を装着した後、給水管９を便器１に設けた給水管用貫通孔１ｅに貫通垂下させ、頭付きボルト２４を便器１の後側固定孔１ｆに挿入させて局部洗浄装置２を便器１に載せる。その後、後側固定孔１ｆを貫通した頭付きボルト２４にナット２５を螺合させて局部洗浄装置２を便器１に締着することで局部洗浄装置２を固定一体化する。次に、給水管９の先端の入水口に設けた鍔部９ａを分岐栓５の出水口５ａ内に挿入し、出水口５ａ外側の鍔部とをクイックファスナーを用いて固定接続する。更に、局部洗浄装置２内の便器洗浄用コントローラに接続されるハーネス先端に設けられたコネクタとコネクタ保持部１ｇに保持されたコネクタ４ｃを接続する。
【００１５】
なお、下ケーシング２２の前側底部に便器１上面との隙間を形成するための段部２２ｄを設けると共に、下ケーシング２２の前側端面には汚水侵入防止兼支持部２２ｅを設ける。下ケーシング２２の前側部位は、便器１上面に汚水侵入防止兼支持部２２ｅが当接することで支持される。また、ケーシング側面に形成される開口２２ｆを覆うカバー２３を設ける。なお、下ケーシング２２の前側扇部２２ｇはその端部が便器１上面にはみ出しながら、その大部分は便器１の開口内に位置する。また、前側扇部２２ｇの前端部中央に洗浄ノズル突出用の開口２２ｈを形成している。
【００１６】
従って、便器１に局部洗浄装置２を設置した状態では、局部洗浄装置２と便器１上面との間には、図３の斜線部１ｈ部分に隙間が形成されるため、開口２２ｆから専用の清掃具２５を用いて斜線部１ｈを清掃することが可能となる。なお、汚水侵入防止兼支持部２２ｅと前側扇部２２ｇにより、便器１と段部２２ｄの間を仕切るので、便器１と局部洗浄装置２との隙間には、尿などの汚水が極力浸入しないようになっている。
【００１７】
図５には、専用の清掃具２５の斜視図を示す。清掃具２５は手で持つ把持部２５ａ、清掃ブラシ２５ｂ、把持部２５ａと清掃ブラシ２５ｂを連結する連結部２５ｃから構成される。清掃ブラシ２５ｂはゴム製、スポンジ、布製等の比較的柔らかな素材で形成する。図５（ｂ）に示すように、把持部２５ａの先形状を上述したカバー２３と同一形状とし、全体の長さを局部洗浄装置２の幅よりも短くし、更に先端の清掃ブラシ２５ｂの厚みを段部２２ｄに収納できる薄さとすることで下ケーシング２２と便器１の上面に出来る空間に収納することが可能となる。この場合、把持部２５ａの先がカバー２３となる。清掃ブラシ２５ｂは、実寸を段部２２ｄより小さくしても、段部２２ｄへの収納時に清掃ブラシ２５ｂが圧縮されるようにしてもよいが、段部２２ｄの高さ（便器１上面と局部洗浄装置２との隙間の大きさ）が小さいことを考慮すると、清掃ブラシ２５ｂを圧縮させて収納する方が清掃性が向上する。なお、清掃ブラシ２５ｂが前側扇部２２ｇに衝突するのを避けるために、連結部２５ｃを弓形にするのがより好ましい。
【００１８】
この清掃具２５は左右のいずれか１つでもよく、また両側の夫々に設けても良い。
【図面の簡単な説明】
【００１９】
【図１】本発明の便器装置の外観斜視図である。
【図２】同便器１の外観斜視図である。
【図３】同便器１と局部洗浄装置２の分解斜視図である。
【図４】局部洗浄装置２を底面側からみた斜視図である。
【図５】清掃具２５の平面図及び側面図である。
【符号の説明】
【００２０】
１：便器、２：局部洗浄装置、３：止水栓、４：便器洗浄装置、５：分岐栓、６：連結管、７：供給管、９：給水管、２１：上ケーシング、２２：下ケーシング、２２ｄ：段部、２２ｅ：汚水侵入防止兼支持部、２２ｆ：開口、２２ｇ：前側扇部、２２ｈ：ノズル突出用の開口、２３：カバー、２５：清掃具、２５ａ：把持部、２５ｂ：清掃ブラシ、２５ｃ：連結部
【図２】
2008002107.tif 000003
【図４】
2008002107.tif 000004
【図５】
2008002107.tif 000005
【図１】
2008002107.tif 000006
【図３】
2008002107.tif 000007